(57)【要約】【課題】従来の給湯風呂装置では、給湯使用を検知する給湯通水スイッチのＯＮする検知流量が大きいためすぐに給湯優先運転とならないという課題とともに、ＯＮ検知流量近傍で給湯通水スイッチがＯＮ−ＯＦＦするハンチングを起こし自動お湯はり運転と給湯優先運転が頻繁に切換わるという課題を有していた。また、注湯制御弁を閉じて給湯優先運転にしても、給湯通水スイッチ部の通水抵抗が大きいため、水圧の低い場所では給湯量が減少し使用勝手が悪くなるという課題を有していた。【解決手段】給湯接続口１３の上流に設けられ給湯配管１４へ供給される給湯出湯量を検知する出湯用流量センサー２４を備えたことにより、給湯配管１４への通水が少量でも給湯使用の検知を正確に行って給湯優先運転にし、また誤動作を防止するとともに、給湯通水部の通水抵抗を小さくすることができるため、水圧の低い場所での給湯量の低下を防止することが可能となる。【選択図】図１
2006071221.tif 000002
【特許請求の範囲】
【請求項１】
給湯用熱交換器と、前記給湯用熱交換器の上流に設けられた入水流量を検知する入水用流量センサーと、給湯出湯側に設け前記給湯用熱交換器で加熱された湯を追焚回路に給湯する注湯制御弁と前記給湯用熱交換器で加熱された湯を給湯配管へ供給する給湯接続口とを備え、前記給湯接続口の上流に設けられ前記給湯配管へ供給する給湯出湯量を検知する出湯用流量センサーを備えた給湯風呂装置。
【請求項２】
注湯制御弁が開の状態のとき、出湯用流量センサーが所定の流量以上になった場合、前記注湯制御弁を閉じる制御手段を備えた請求項１記載の給湯風呂装置。
【請求項３】
入水用流量センサーが通水の停止を検知した場合、注湯制御弁を開ける制御手段を備えた請求項２記載の給湯風呂装置。
【請求項４】
出湯用流量センサーが所定の流量以上の場合、注湯制御弁の開の動作を待機させる制御手段を備えた請求項１記載の給湯風呂装置。
【請求項５】
入水用流量センサーが通水の停止を検知した場合、注湯制御弁を開ける制御手段を備えた請求項４記載の給湯風呂装置。
【発明の詳細な説明】
【技術分野】
【０００１】
本発明は、給湯用熱交換器で加熱された湯を追焚回路に給湯する注湯制御弁を備えた給湯風呂装置に関するものである。
【背景技術】
【０００２】
従来この種の給湯風呂装置は、給湯配管への通水を検知する給湯通水スイッチは給湯接続部の上流側に設けられている（例えば、特許文献１参照）。実質的には図２に示すような構成になっている。すなわち、給湯運転時には、給湯栓１を開くと入水用流量センサー２が通水を検知した後、燃焼用ファン３が回転し、ガス元電磁弁４、ガス比例弁５が開き、バーナ６に着火し、給湯用熱交換器７で加熱される。
【０００３】
ここで、給湯用熱交換器７で加熱された湯は、給水回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯通水スイッチ１２、給湯接続口１３、給湯配管１４を経て給湯栓１より給湯される。
【０００４】
次に追焚運転時には、循環ポンプ１５により浴槽１６の浴槽水１７は、追焚戻り通路１８を経て流水検知部１９にて循環を検知されると、燃焼用ファン３が回転し、ガス元電磁弁４、ガス比例弁５が開き、バーナ６に着火し、追焚用熱交換器２０で加熱され追焚往き通路２１から浴槽１６へ循環される。
【０００５】
次に自動お湯はり運転時には、給湯用熱交換器７で加熱された湯は、注湯制御弁２２が開き、逆止弁２３を経て追焚戻り通路１８から浴槽１６へ供給される。
【０００６】
ここで、自動お湯はり運転時に給湯が使用されたり、或いは給湯使用中に自動お湯はり運転が作動すると、給湯栓１から出湯する量が給湯単独使用と比較すると減少して使用勝手が悪くなるため、給湯接続口１３の上流に設けられた給湯通水スイッチ１２が通水を検知し、注湯制御弁２２を閉じて給湯優先運転とする構成となっている。
【特許文献１】特開平２−２５４２３４号公報（第１図）
【発明の開示】
【発明が解決しようとする課題】
【０００７】
しかしながら、前記従来の給湯風呂装置では、給湯通水スイッチのＯＮする検知流量が大きいためすぐに給湯優先運転とならないという課題とともに、ＯＮ検知流量近傍で給湯通水スイッチがＯＮ−ＯＦＦするハンチングを起こし自動お湯はり運転と給湯優先運転が頻繁に切換わるという課題を有していた。また、注湯制御弁を閉じて給湯優先運転にしても、給湯通水スイッチ部の通水抵抗が大きいため、水圧の低い場所では給湯量が減少し使用勝手が悪くなるという課題を有していた。
【０００８】
本発明は前記従来の課題を解決するもので、給湯配管への通水が少量でも正確に給湯優先運転にして誤動作を防止するとともに、給湯量を減少させずに使用勝手を向上させる給湯風呂装置を提供することを目的とする。
【課題を解決するための手段】
【０００９】
前記従来の課題を解決するために本発明の給湯風呂装置は、給湯接続口の上流に設けられ給湯配管へ供給される給湯出湯量を検知する出湯用流量センサーを備えたものである。
【００１０】
これによって、給湯配管への通水が少量でも検知を正確に行って給湯優先運転にし、また誤動作を防止するとともに、給湯通水部の通水抵抗を小さくすることができるため、水圧の低い場所で給湯量が少なくなるという課題を改善できるものである。
【発明の効果】
【００１１】
本発明の給湯風呂装置は、給湯配管への通水が少量でも検知を正確に行って給湯優先運転にし、また誤動作を防止するするとともに、給湯量を減少させずに使用勝手を向上させることができる。
【発明を実施するための最良の形態】
【００１２】
第１の発明は、給湯用熱交換器と、前記給湯用熱交換器の上流に設けられた入水流量を検知する入水用流量センサーと、給湯出湯側に設け前記給湯用熱交換器で加熱された湯を追焚回路に給湯する注湯制御弁と前記給湯用熱交換器で加熱された湯を給湯配管へ供給される給湯接続口とを備え、前記給湯接続口の上流に設けられ前記給湯配管へ供給される給湯出湯量を検知する出湯用流量センサーを備えていることにより、給湯配管への通水が少量でも検知を正確にすることができ、またＯＮ検知流量近傍で給湯通水スイッチがＯＮ−ＯＦＦするハンチングによる誤動作を防止するとともに、給湯通水部の通水抵抗を小さくすることができる。
【００１３】
第２の発明は、特に、第１の発明において、注湯制御弁が開の状態のとき、出湯用流量センサーが所定の流量以上になった場合、前記注湯制御弁を閉じる制御手段を備えていることにより、給湯優先の運転となり給湯栓からの出湯量の減少による使用勝手の悪化を防止することが可能となる。
【００１４】
第３の発明は、特に、第２の発明において、入水用流量センサーが通水の停止を検知した場合、注湯制御弁を開ける制御手段を備えていることにより、給湯使用後、すぐに自動お湯はり運転を再開することが可能となる。
【００１５】
第４の発明は、特に、第１の発明において、出湯用流量センサーが所定の流量以上の場合、注湯制御弁の開の動作を待機させる制御手段を備えていることにより、給湯優先の運転を継続するため給湯栓からの出湯量の減少による使用勝手の悪化を防止することが可能となる。
【００１６】
第５の発明は、特に、第４の発明において、入水用流量センサーが通水の停止を検知した場合、注湯制御弁を開ける制御手段を備えていることにより、給湯使用後、すぐに自動お湯はり運転を開始することが可能となる。
【００１７】
以下、本発明の実施の形態について図面を参照しながら説明する。なお、本実施の形態によって本発明が限定されるものではない。
【００１８】
（実施の形態１）
図１は本発明の第１の実施の形態における給湯風呂装置の構成図を示すものである。
【００１９】
図１において、給湯運転時には、給湯栓１を開くと入水用流量センサー２が通水を検知した後、燃焼用ファン３が回転し、ガス元電磁弁４、ガス比例弁５が開き、バーナ６に着火し、給湯用熱交換器７で加熱される。
【００２０】
ここで、給湯用熱交換器７で加熱された湯は、給水回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１３、給湯配管１４を経て給湯栓１より給湯される。
【００２１】
次に追焚運転時には、循環ポンプ１５により浴槽１６の浴槽水１７は、追焚戻り通路１８を経て流水検知部１９にて循環を検知されると、燃焼用ファン３が回転し、ガス元電磁弁４、ガス比例弁５が開き、バーナ６に着火し、追焚用熱交換器２０で加熱され追焚往き通路２１から浴槽１６へ循環される。
【００２２】
次に自動お湯はり運転時には、給湯用熱交換器７で加熱された湯は、注湯制御弁２２が開き、逆止弁２３を経て追焚戻り通路１８から浴槽１６へ供給される。
【００２３】
以上のように構成された給湯風呂装置について、以下その動作、作用を説明する。
【００２４】
通常、自動お湯はり運転時に給湯栓１を開くと、給湯用熱交換器７で加熱された湯は、給湯接続口１３と注湯制御弁２２へと分岐して供給される。
【００２５】
ここで、給湯接続口１３の上流には給湯配管１４へ供給する給湯出湯量を検知する出湯用流量センサー２４が設けられており、少量の通水でも給湯配管への通水を正確に検知することが可能となり、またＯＮ検知流量近傍で給湯通水スイッチがＯＮ−ＯＦＦするハンチングによる誤動作を防止するとともに、給湯通水部の通水抵抗を小さくすることができる。
【００２６】
（実施の形態２）
本発明の第２の実施の形態における給湯風呂装置は、前記実施の形態１で、自動お湯はり運転で注湯制御弁２２が開の状態のとき、出湯用流量センサー２４の検知流量が所定の値以上になった場合、注湯制御弁２２を閉じる制御手段２５を備えているため、自動お湯はり運転は待機して、給湯優先運転となり給湯栓１からの出湯量の減少による使用勝手の悪化を防止することが可能となる。
【００２７】
（実施の形態３）
本発明の第３の実施の形態における給湯風呂装置は、前記実施の形態２で、出湯用流量センサー２４が通水の停止を検知すると、注湯制御弁２２を開ける制御手段２５を備えているため、給湯使用後、すぐに自動お湯はり運転を再開することが可能となる。
【００２８】
（実施の形態４）
本発明の第４の実施の形態における給湯風呂装置は、出湯用流量センサー２４が所定の流量以上の場合、遠隔操作用リモコン１０にて自動お湯はり運転を設定されても注湯制御弁２２の開の動作を待機させる制御手段２７を備えており、給湯優先の運転を継続するため給湯栓からの出湯量の減少による使用勝手の悪化を防止することが可能となる。
【００２９】
（実施の形態５）
本発明の第５の実施の形態における給湯風呂装置は、前記実施の形態４で、出湯用流量センサー２４が通水の停止を検知すると、注湯制御弁２２を開ける制御手段２５を備えているため、給湯使用後、すぐに自動お湯はり運転を開始することが可能となる。
【産業上の利用可能性】
【００３０】
以上のように、本発明にかかる給湯風呂装置は、給湯接続口の上流に給湯配管へ供給される給湯出湯量を検知する出湯用流量センサーを備えているため、給湯配管への通水が少量でも正確に検知して給湯優先運転にでき、給湯量を減少させずに使用勝手を向上させることが可能となるとともに、ハンチングによる誤動作の防止、給湯通水部の通水抵抗の減少が可能となるため、ガス、石油、電気の給湯風呂装置、給湯暖房機等の用途にも適用できる。
【図面の簡単な説明】
【００３１】
【図１】本発明の実施の形態１における給湯風呂装置を示す構成図
【図２】従来の給湯風呂装置を示す構成図
【符号の説明】
【００３２】
１  給湯栓
２  入水用流量センサー
７  給湯用熱交換器
８  給水回路
１３  給湯接続口
１４  給湯配管
２２  注湯制御弁
２４  出湯用流量センサー
２５  制御手段
【図１】
2006071221.tif 000003
【図２】
2006071221.tif 000004